(57)【要約】【課題】棒金の出し入れ作業を容易化可能となる現金管理装置の提供。【解決手段】底部６４と壁部６３とを有し棒金Ｂを底部６４に垂直状をなす姿勢で１カ所に５本収納可能な棒金収納凹部６１を備え、棒金収納凹部６１は、棒金Ｂを２本並べて収納する２本収納領域７２と、２本収納領域７２と平行であって棒金Ｂを１列に並べて３本収納するとともに棒金配列方向の中央位置を２本収納領域７２と合わせた３本収納領域７１と、を有し、２本収納領域７２および３本収納領域７１の一方が他方に対し低くなるように底部６４を水平に対し傾斜させている。【選択図】図３
2017033367.tif 000002
【特許請求の範囲】
【請求項１】
底部と壁部とを有し棒金を前記底部に垂直状をなす姿勢で１カ所に５本収納可能な棒金収納凹部を備え、
前記棒金収納凹部は、
棒金を２本並べて収納する２本収納領域と、
前記２本収納領域と平行であって棒金を１列に並べて３本収納するとともに棒金配列方向の中央位置を前記２本収納領域と合わせた３本収納領域と、を有し、
前記２本収納領域および前記３本収納領域の一方が他方に対し低くなるように前記底部を水平に対し傾斜させていることを特徴とする現金管理装置。
【請求項２】
装置本体と、
前記棒金収納凹部を有して、前記装置本体に引き出し可能に設けられる収納庫と、を有し、
前記棒金収納凹部は、前記２本収納領域および前記３本収納領域のそれぞれの棒金配列方向を前記引き出しの方向に直交させていることを特徴とする請求項１記載の現金管理装置。
【請求項３】
前記棒金収納凹部は、前記引き出しの方向の奥側に前記２本収納領域が、手前側に前記３本収納領域が配置されていることを特徴とする請求項２記載の現金管理装置。
【請求項４】
前記棒金収納凹部の底部には、棒金の下端部に係合する係合部が、前記２本収納領域に２カ所、前記３本収納領域に３カ所、それぞれ設けられていることを特徴とする請求項１乃至３のいずれか一項記載の現金管理装置。
【請求項５】
前記係合部には、係合する棒金を検出する棒金検出センサが設けられていることを特徴とする請求項４記載の現金管理装置。
【請求項６】
前記棒金収納凹部は、
前記２本収納領域の棒金配列方向の両外側に該２本収納領域内に中心を有する湾曲壁面を有し、
前記３本収納領域の棒金配列方向の両外側に該３本収納領域内に中心を有する湾曲壁面を有し、
前記２本収納領域および前記３本収納領域の配列方向の両外側に平坦壁面を有することを特徴とする請求項１乃至５のいずれか一項記載の現金管理装置。
【請求項７】
前記棒金収納凹部には、
前記３本収納領域の棒金配列方向の中央の１本収納領域と前記２本収納領域の両１本収納領域とから等距離の位置と、前記３本収納領域の棒金配列方向の一側および中央の両１本収納領域と前記２本収納領域の前記一側の１本収納領域とから等距離の位置と、前記３本収納領域の棒金配列方向の他側および中央の両１本収納領域と前記２本収納領域の前記他側の１本収納領域とから等距離の位置とに、それぞれ棒金を前記底部に垂直状をなす姿勢に維持しうるピンが立設されていることを特徴とする請求項１乃至６のいずれか一項記載の現金管理装置。
【請求項８】
装置本体と、
前記棒金収納凹部を有して、前記装置本体に引き出し可能に設けられる収納庫と、を有し、
２カ所の前記棒金収納凹部が高さ位置を合わせて前記引き出しの方向の前後に並んで設けられていることを特徴とする請求項１乃至７のいずれか一項記載の現金管理装置。
【請求項９】
装置本体と、
前記棒金収納凹部を有して、前記装置本体に引き出し可能に設けられる収納庫と、を有し、
２カ所の前記棒金収納凹部が前記底部を同一平面状に配置して前記引き出しの方向の前後に並んで設けられていることを特徴とする請求項１乃至７のいずれか一項記載の現金管理装置。
【発明の詳細な説明】
【技術分野】
【０００１】
本発明は、現金の管理に用いられる現金管理装置に関する。
【背景技術】
【０００２】
装置本体から引き出し可能に設けられた複数の収納庫に現金を収納し、現金の入出庫を行う現金管理装置がある。この種の現金管理装置には、棒金用の収納庫に棒金を収納する棒金用トレイが設けられているものがあり、この棒金用トレイに、棒金を立位状態で１カ所に１０本収納可能であって下方に凹む上方開口形状の棒金収納凹部が設けられているものがある（例えば、特許文献１参照）。
【先行技術文献】
【特許文献】
【０００３】
【特許文献１】特開２０１３−１１８０１６号公報
【発明の概要】
【発明が解決しようとする課題】
【０００４】
上記の現金管理装置にあっては、棒金を出したり入れたりする出し入れ作業において、１カ所の棒金収納凹部から棒金を纏めて掴んで出し入れする作業が容易ではない。
【０００５】
本発明は、上記の点に鑑みなされたもので、棒金の出し入れ作業を容易化可能となる現金管理装置の提供を目的とする。
【課題を解決するための手段】
【０００６】
上記目的を達成するために、請求項１に係る発明は、底部と壁部とを有し棒金を前記底部に垂直状をなす姿勢で１カ所に５本収納可能な棒金収納凹部を備え、前記棒金収納凹部は、棒金を２本並べて収納する２本収納領域と、前記２本収納領域と平行であって棒金を１列に並べて３本収納するとともに棒金配列方向の中央位置を前記２本収納領域と合わせた３本収納領域と、を有し、前記２本収納領域および前記３本収納領域の一方が他方に対し低くなるように前記底部を水平に対し傾斜させていることを特徴とする。
【０００７】
請求項２に係る発明は、請求項１に係る発明において、装置本体と、前記棒金収納凹部を有して、前記装置本体に引き出し可能に設けられる収納庫と、を有し、前記棒金収納凹部は、前記２本収納領域および前記３本収納領域のそれぞれの棒金配列方向を前記引き出しの方向に直交させていることを特徴とする。
【０００８】
請求項３に係る発明は、請求項２に係る発明において、前記棒金収納凹部は、前記引き出しの方向の奥側に前記２本収納領域が、手前側に前記３本収納領域が配置されていることを特徴とする。
【０００９】
請求項４に係る発明は、請求項１乃至３のいずれか一項に係る発明において、前記棒金収納凹部の底部には、棒金の下端部に係合する係合部が、前記２本収納領域に２カ所、前記３本収納領域に３カ所、それぞれ設けられていることを特徴とする。
【００１０】
請求項５に係る発明は、請求項４に係る発明において、前記係合部には、係合する棒金を検出する棒金検出センサが設けられていることを特徴とする。
【００１１】
請求項６に係る発明は、請求項１乃至５のいずれか一項に係る発明において、前記棒金収納凹部は、前記２本収納領域の棒金配列方向の両外側に該２本収納領域内に中心を有する湾曲壁面を有し、前記３本収納領域の棒金配列方向の両外側に該３本収納領域内に中心を有する湾曲壁面を有し、前記２本収納領域および前記３本収納領域の配列方向の両外側に平坦壁面を有することを特徴とする。
【００１２】
請求項７に係る発明は、請求項１乃至６のいずれか一項に係る発明において、前記棒金収納凹部には、前記３本収納領域の棒金配列方向の中央の１本収納領域と前記２本収納領域の両１本収納領域とから等距離の位置と、前記３本収納領域の棒金配列方向の一側および中央の両１本収納領域と前記２本収納領域の前記一側の１本収納領域とから等距離の位置と、前記３本収納領域の棒金配列方向の他側および中央の両１本収納領域と前記２本収納領域の前記他側の１本収納領域とから等距離の位置とに、それぞれ棒金を前記底部に垂直状をなす姿勢に維持しうるピンが立設されていることを特徴とする。
【００１３】
請求項８に係る発明は、請求項１乃至７のいずれか一項に係る発明において、装置本体と、前記棒金収納凹部を有して、前記装置本体に引き出し可能に設けられる収納庫と、を有し、２カ所の前記棒金収納凹部が高さ位置を合わせて前記引き出しの方向の前後に並んで設けられていることを特徴とする。
【００１４】
請求項９に係る発明は、請求項１乃至７のいずれか一項に係る発明において、装置本体と、前記棒金収納凹部を有して、前記装置本体に引き出し可能に設けられる収納庫と、を有し、２カ所の前記棒金収納凹部が前記底部を同一平面状に配置して前記引き出しの方向の前後に並んで設けられていることを特徴とする。
【発明の効果】
【００１５】
請求項１に係る発明によれば、底部と壁部とを有し棒金を底部に垂直状をなす姿勢で１カ所に５本収納可能な棒金収納凹部を備えており、この棒金収納凹部が、棒金を２本並べて収納する２本収納領域と、２本収納領域と平行であって棒金を１列に並べて３本収納する３本収納領域と、を有するとともに、これら２本収納領域および３本収納領域が棒金配列方向の中央位置を合わせている。このため、両手で５本の棒金を纏めて掴んで出し入れする際に掴み易く出し入れし易い。したがって、棒金の出し入れ作業を容易化可能となる。しかも、棒金収納凹部が、２本収納領域および３本収納領域の一方が他方に対し低くなるように底部を水平に対し傾斜させていることから、両手で５本の棒金を纏めて掴んで出し入れする際に一層掴み易く出し入れし易い。
【００１６】
請求項２に係る発明によれば、棒金収納凹部は、２本収納領域および３本収納領域のそれぞれの棒金配列方向を、収納庫の引き出しの方向に対し直交させている。このため、両手で５本の棒金を纏めて掴んで出し入れする際に一層掴み易く出し入れし易い。
【００１７】
請求項３に係る発明によれば、棒金収納凹部は、収納庫の引き出しの方向の奥側に２本収納領域が、手前側に３本収納領域が配置されているため、５本の棒金からなる棒金群を、両手で棒金収納凹部に合わせた形状にしつつ掴む際に掴み易く、よって、５本の棒金を両手で掴んで棒金収納凹部に対し出し入れする作業がさらに容易化可能となる。
【００１８】
請求項４に係る発明によれば、棒金収納凹部の底部に、棒金の下端部に係合する係合部が、２本収納領域に２カ所、３本収納領域に３カ所、それぞれ設けられているため、棒金の下端部を係合部に係合させることで、収納庫の引き出し時および押し込み時に、収納状態にある棒金のガタツキを抑制することができる。
【００１９】
請求項５に係る発明によれば、係合部に係合された棒金を棒金検出センサで検出することができる。よって、棒金の収納数を計数することができる。
【００２０】
請求項６に係る発明によれば、棒金収納凹部が、２本収納領域および３本収納領域のそれぞれの棒金配列方向の両外側に湾曲壁面を有する形状をなしているため、これら湾曲壁面で四隅の棒金を案内することができる。よって、５本の棒金を纏めて正確に棒金収納凹部に挿入することが可能となる。
【００２１】
請求項７に係る発明によれば、３本収納領域の棒金配列方向の中央の１本収納領域と２本収納領域の両１本収納領域とから等距離の位置と、３本収納領域の棒金配列方向の一側および中央の両１本収納領域と２本収納領域の前記一側の１本収納領域とから等距離の位置と、３本収納領域の棒金配列方向の他側および中央の両１本収納領域と２本収納領域の前記他側の１本収納領域とから等距離の位置とに、それぞれ棒金を底部に垂直状をなす姿勢に維持しうるピンが立設されている。このため、棒金収納凹部内に収納された、満杯状態にない１本〜４本の棒金を少ない数のピンで底部に垂直状をなす姿勢に維持することができる。
【００２２】
請求項８に係る発明によれば、２カ所の棒金収納凹部が高さ位置を合わせて引き出しの方向の前後に並んで設けられているため、２カ所の棒金収納凹部の全体の高さを抑えることができる。また、２カ所の棒金収納凹部から同じ高さで５本の棒金を掴むことができるため、５本の棒金を両手で掴んで棒金収納凹部に対し出し入れする作業を２回繰り返す場合に、作業をさらに容易化可能となる。
【００２３】
請求項９に係る発明によれば、２カ所の棒金収納凹部が底部を同一平面状に配置して引き出しの方向の前後に並んで設けられているため、これらの棒金収納凹部を１つのトレイに形成することが容易となる。
【図面の簡単な説明】
【００２４】
【図１】本発明の第１実施形態に係る現金管理装置を示す斜視図である。
【図２】本発明の第１実施形態に係る現金管理装置を示す要部の制御系ブロック図である。
【図３】本発明の第１実施形態に係る現金管理装置の棒金収納庫を示す部分側断面図である。
【図４】本発明の第１実施形態に係る現金管理装置の満杯収納用の棒金トレイを示す斜視図である。
【図５】本発明の第１実施形態に係る現金管理装置の満杯収納用の棒金トレイを示す平面図である。
【図６】本発明の第１実施形態に係る現金管理装置の端数収納用の棒金トレイを示す斜視図である。
【図７】本発明の第１実施形態に係る現金管理装置の端数収納用の棒金トレイを示す平面図である。
【図８】本発明の第２実施形態に係る現金管理装置の棒金収納庫を示す部分側断面図である。
【図９】本発明の第３実施形態に係る現金管理装置の棒金収納庫を示す部分側断面図である。
【図１０】本発明の第３実施形態に係る現金管理装置の満杯収納用の棒金トレイを示す斜視図である。
【図１１】本発明の第３実施形態に係る現金管理装置の満杯収納用の棒金トレイを示す平面図である。
【図１２】本発明の第３実施形態に係る現金管理装置の端数収納用の棒金トレイを示す斜視図である。
【図１３】本発明の第３実施形態に係る現金管理装置の端数収納用の棒金トレイを示す平面図である。
【図１４】本発明の第４実施形態に係る現金管理装置の棒金収納庫を示す部分側断面図である。
【発明を実施するための形態】
【００２５】
本発明の第１実施形態に係る現金管理装置を図１〜図７を参照して以下に説明する。
【００２６】
図１に示す第１実施形態に係る現金管理装置１０は、金融機関の店舗の係員側スペースに設置されて係員により取り扱われるものであり、より窓口カウンタに近い位置で使用され、主に小束紙幣および棒金を入出庫可能に収納するものである。
【００２７】
現金管理装置１０は、箱型の装置本体１１と、この装置本体１１に上下方向に複数段具体的には８段設けられた収納庫１２とを有している。これら収納庫１２は、その左右側壁に設けられたスライドレール１３を介して装置本体１１に対して水平方向に沿って引き出し可能となっている。これら収納庫１２は、現金管理装置１０の前方に引き出されることで内部にアクセス可能となるように開かれ、現金管理装置１０の後方に押し込まれると内部にアクセス不可となるように閉じられる。このように前後方向にのみ所定範囲でスライド可能となるように、各収納庫１２は装置本体１１に連結されている。以下の前および後は、現金管理装置１０の前（操作者側）および後（操作者とは反対側）であり、収納庫１２の引き出し方向の前および後と一致する。
【００２８】
複数段の収納庫１２のうち、最も上側のものは、予備収納庫１２（Ａ）となっており、結束されていないバラ紙幣、包装されていないバラ硬貨、汚損紙幣や汚損硬貨、金券等を収納する。また、残りの収納庫１２は、上側４段が小束紙幣を収納する小束収納庫１２（Ｂ）となっており、下側３段が棒金を収納する棒金収納庫１２（Ｃ）となっている。勿論、収納庫１２の全体の数や、そのうちの小束収納庫１２（Ｂ）および棒金収納庫１２（Ｃ）の個々の数等は任意に設定可能であり、例えば、予備収納庫１２（Ａ）以外の全てを、棒金収納庫１２（Ｃ）とすることも勿論可能である。
【００２９】
装置本体１１の上部には、操作者によって操作入力がなされるとともに操作者に対して表示を行う操作表示部１５と、データを印字により出力するプリンタ１６とが設けられている。操作表示部１５は、操作者に対して操作ガイダンス等の情報を表示する表示部１７と、操作者のＩＤカードを走査するカードリーダ１８と、操作者により操作される操作キーボード１９と、操作者に対して音声を出力する音声発生部２０とを有している。
【００３０】
装置本体１１には、複数の収納庫１２のそれぞれに対して、収納庫１２を閉状態で個別にロックする図２に示す電磁式のロック機構２２が設けられており、図１に示す複数の収納庫１２のそれぞれの側方に、ロック機構２２のロック解除時のみ点灯する表示灯２３が設けられている。さらに、装置本体１１には、図２に示すように、操作表示部１５、プリンタ１６、音声発生部２０、ロック機構２２および表示灯２３等に接続されてこれらを制御する制御部２５と、収納している棒金および小束紙幣の数量情報および金種情報や処理関連のデータ等を記憶する記憶部２６とが設けられている。
【００３１】
収納庫１２は、図１に示すように取っ手３０が中央に設けられた前板部３１と、前板部３１の左右両側から図３に示すように後方に延出する一対（図３において一方のみ図示）の側板部３２と、一対の側板部３２の後端部同士を連結する図示略の後板部と、これらで囲まれる空間部分の下部開口を閉塞する底板部３３とを有する枠体３４を有している。この枠体３４は、図１に示す小束収納庫１２（Ｂ）と棒金収納庫１２（Ｃ）とで共通となっている。枠体３４は、一対の側板部３２がスライドレール１３の一側に連結されており、スライドレール１３の他側が装置本体１１に連結されていて、これにより装置本体１１に対して引き出し可能となっている。
【００３２】
図３に示すように、棒金収納庫１２（Ｃ）は、棒金Ｂを入出庫可能に収納するものである。棒金収納庫１２（Ｃ）は、枠体３４に取り付けられて固定される支持ベース４０と、棒金Ｂを収納可能であって支持ベース４０に取り付けられて固定される最前位置および前から２番目の端数収納用の合成樹脂製の棒金トレイ５０ａと、前から３番目以降全部の満杯収納用の棒金トレイ５０ｂとを有している。なお、１つの棒金収納庫１２（Ｃ）に対し、前後に１列状に複数の棒金トレイ５０ａ，５０ｂが設けられており、図示は略すが、このような列が左右に複数列設けられている。
【００３３】
ここで、各棒金トレイ５０ａ，５０ｂは、それぞれ予め設定された単一の収納対象金種の棒金Ｂのみが収納されるように決められている。また、左右方向における同列に配置されて前後に１列に並ぶ複数の棒金トレイ５０ａ，５０ｂは、全て収納対象金種が同一金種となっている。例えば、図１に示す３段の棒金収納庫１２（Ｃ）のうちの最も上段の棒金収納庫１２（Ｃ）は、最も左側および左から２番目の２列の棒金トレイ５０ａ，５０ｂが共に１円棒金収納用、最も右側および右から２番目の２列の棒金トレイ５０ａ，５０ｂが共に５円棒金収納用となっている。また、３段の棒金収納庫１２（Ｃ）のうちの上から２段目の棒金収納庫１２（Ｃ）は、最も左側および左から２番目の２列の棒金トレイ５０ａ，５０ｂが共に１０円棒金収納用、最も右側および右から２番目の２列の棒金トレイ５０ａ，５０ｂが共に５０円棒金収納用となっている。また、３段の棒金収納庫１２（Ｃ）のうちの最下段の棒金収納庫１２（Ｃ）は、最も左側および左から２番目の２列の棒金トレイ５０ａ，５０ｂが共に１００円棒金収納用、最も右側および右から２番目の２列の棒金トレイ５０ａ，５０ｂが共に５００円棒金収納用となっている。勿論、各棒金収納庫１２（Ｃ）への収納金種は任意に設定可能であり、頻繁に出庫が行われる金種（１円棒金、１０円棒金および１００円棒金）を１つの棒金収納庫１２（Ｃ）に纏めて収納するようにしても良い。また、左右方向における同列に配置されて前後に１列に並ぶ複数の棒金トレイ５０ａ，５０ｂは、必ずしも全て収納対象金種が同一金種となっていなくても良い。
【００３４】
図３に示すように、棒金Ｂは、単一金種の硬貨Ｃを所定枚数（５０枚）だけ中心軸線を一致させて集積してなる集積硬貨を、その外周面全体に樹脂フィルムあるいは紙からなる包装紙を所定長さ巻き付けて一体化したものであり、略円柱状をなしている。棒金Ｂには、包装紙の余長部分を加締めた加締部Ｋが軸方向両端部に形成されている。加締部Ｋは、棒金Ｂの外径と略同径で棒金Ｂの中心軸を中心とする円環状をなして棒金Ｂの軸方向両側に所定長さ突出している。
【００３５】
図４に示すように、満杯収納用の棒金トレイ５０ｂは、長方形の平板状をなす基板部６０と、基板部６０の内側範囲に設けられて下方に凹む上方開口形状をなす１カ所のみの棒金収納凹部６１とを有している。棒金収納凹部６１は基板部６０の中間部に形成されている。棒金トレイ５０ｂは、棒金収納凹部６１にその上端開口部を介して上方から棒金Ｂが挿入されることになり、棒金収納凹部６１は、このように挿入された棒金Ｂを図３に示すように上方に一部突出させて収納する。
【００３６】
棒金収納凹部６１は、基板部６０に対し垂直方向に沿う壁部６３と、基板部６０に平行をなして壁部６３の下部を閉塞する底部６４とを有している。壁部６３は、基板部６０よりも下方向に延出しており、よって、底部６４は基板部６０よりも下方に位置している。基板部６０の上面には、一の角部の近傍に、収納対象の金種を目視可能に明示する金種明示部６５が設けられている。図４，図５は１０円棒金用の棒金トレイ５０ｂを例示しており、金種明示部６５に１０円棒金が収納対象であることを示す「１０」の数字が明示されている。
【００３７】
図５に示すように、棒金収納凹部６１の壁部６３は、図５における左側に、円筒を一部切り取った形状の２カ所の湾曲壁面６６が連設されており、図５における右側に、円筒を一部切り取った形状の２カ所の湾曲壁面６６が連設されている。棒金収納凹部６１は、金種明示部６５から遠い側の図５における左右２カ所の湾曲壁面６６が対向し、これらの間隔が、金種明示部６５に近い側で対向する図５における左右２カ所の湾曲壁面６６同士の間隔よりも広くなっている。
【００３８】
棒金収納凹部６１の壁部６３は、金種明示部６５から遠い側の図５における左右の湾曲壁面６６を結ぶ平坦壁面６７と、金種明示部６５に近い側の図５における左右の湾曲壁面６６を結ぶ、平坦壁面６７よりも長さが短い平坦壁面６８とを有している。
【００３９】
棒金収納凹部６１に設けられた４カ所の湾曲壁面６６は、いずれも湾曲の中心をそれぞれが設けられた棒金収納凹部６１の内側に配置している。棒金収納凹部６１に設けられた平坦壁面６７および平坦壁面６８は互いに平行をなしている。棒金収納凹部６１に設けられた４カ所の湾曲壁面６６と２カ所の平坦壁面６７，６８とが、閉状に連続する囲壁面６９を構成している。
【００４０】
１つの棒金トレイ５０ｂに設けられた１カ所の棒金収納凹部６１には、予め設定された単一の収納対象金種の棒金Ｂのみが収納されることになり、湾曲壁面６６の径は、収納対象金種の棒金Ｂの外径よりも若干大径となっている。
【００４１】
棒金収納凹部６１は、金種明示部６５から遠い側の互いに対向する間隔が広い一対の湾曲壁面６６の間に、これらを結ぶ方向に並んで３カ所の１本収納領域７０が１列状に設けられている。よって、金種明示部６５から遠い側の間隔が広い一対の湾曲壁面６６の間は、棒金Ｂを同時に３本、互いに平行をなすように１列に並べて収納可能な３本収納領域７１となっている。
【００４２】
また、棒金収納凹部６１は、金種明示部６５に近い側の互いに対向する間隔が狭い一対の湾曲壁面６６の間に、これらを結ぶ方向に並んで２カ所の１本収納領域７０が設けられている。よって、金種明示部６５に近い側の間隔が狭い一対の湾曲壁面６６の間は、棒金Ｂを同時に２本、互いに平行をなすように並べて収納可能な２本収納領域７２となっている。
【００４３】
棒金収納凹部６１は、棒金Ｂを満杯状態で５本収納する。つまり、１つの棒金トレイ５０ｂには、棒金Ｂを底部６４に垂直状をなす姿勢で１カ所に５本収納可能であって下方に凹む上方開口形状の棒金収納凹部６１が１カ所設けられている。言い換えれば、棒金収納凹部６１に、棒金Ｂが立位状態で所定の複数本である５本収納可能となっている。
【００４４】
また、棒金収納凹部６１は、これに設けられた３本収納領域７１と２本収納領域７２とが互いに平行をなして隣接しており、これら３本収納領域７１および２本収納領域７２の棒金配列方向の中央位置を合わせている。その結果、同一の棒金収納凹部６１に設けられた３本収納領域７１と２本収納領域７２とは、両方の中央位置を通り基板部６０に直交する面を基準に鏡面対称の形状をなしている。
【００４５】
隣接する３本収納領域７１と２本収納領域７２とを有する棒金収納凹部６１は、棒金ＢをＭ字状に収納する。棒金収納凹部６１は、３本収納領域７１の棒金配列方向の両外側に３本収納領域７１内に中心を有する湾曲壁面６６を有しており、２本収納領域７２の棒金配列方向の両外側に２本収納領域７２内に中心を有する湾曲壁面６６を有していて、３本収納領域７１および２本収納領域７２の配列方向の両外側に平坦壁面６７，６８を有している。
【００４６】
隣接する３本収納領域７１および２本収納領域７２において、３本収納領域７１に収納された棒金Ｂに対して、２本収納領域７２に収納された棒金Ｂは、棒金Ｂの半径分だけ図５における左右方向にずれることになる。棒金Ｂは、棒金収納凹部６１に、その上部開口を介して上方から挿入されることになり、棒金収納凹部６１に満杯に収納された状態では、棒金収納凹部６１の壁部６３および他の棒金Ｂで支持されて、底部６４に垂直状をなす姿勢に維持される。
【００４７】
底部６４の各棒金Ｂの収納位置、つまり各１本収納領域７０の底位置には、図４に示すように、底部６４の最深面７８から上方に突出して係合部８０が設けられている。係合部８０は、平面視円形の短柱状をなしており、その上面８１が底部６４の最深面７８と平行となっている。係合部８０は、図３に示すように、棒金Ｂの下端の硬貨Ｃから軸方向外側に突出する包装紙の円形状の加締部Ｋの内側に嵌合する。係合部８０は、全ての１本収納領域７０のそれぞれ底位置中央に設けられている。係合部８０は、図５に示すように、各湾曲壁面６６の各内側位置に湾曲壁面６６と同じ４カ所形成され、さらに、３本収納領域７１を形成する湾曲壁面６６間の中央の１カ所に形成されている。つまり、棒金収納凹部６１の底部６４には、３本収納領域７１の底部を構成する部分に３カ所、２本収納領域７２の底部を構成する部分に２カ所、係合部８０がそれぞれ設けられている。係合部８０は、これが配置された１本収納領域７０に挿入された棒金Ｂの下端部の加締部Ｋの内側に嵌合する。
【００４８】
係合部８０には、係合する棒金Ｂの有無および金種を検出する磁気センサ等の棒金検出センサ８２が設けられており、このような棒金検出センサ８２が、すべての係合部８０に個別に設けられている。
【００４９】
図６，図７に示す端数収納用の棒金トレイ５０ａは、満杯収納用の棒金トレイ５０ｂに対して、棒金収納凹部６１に満杯状態にない１本〜４本の棒金Ｂを底部６４に垂直状をなす姿勢にそれぞれ維持しうる複数、具体的には３カ所のピン９５が底部６４に立設されている点が相違している。
【００５０】
３カ所のピン９５は、その１つが、２本収納領域７２の２カ所の１本収納領域７０と、３本収納領域７１の棒金配列方向の中央１カ所の１本収納領域７０とから等距離の位置に配置されている。つまり、このピン９５は、２本収納領域７２の２カ所の係合部８０と、３本収納領域７１の中央１カ所の係合部８０とから等距離の位置に配置されている。
【００５１】
３カ所のピン９５は、他の１つが、３本収納領域７１の棒金配列方向の一側（左側）の端部の１本収納領域７０および中央の１本収納領域７０と、２本収納領域７２の同じ一側（左側）の１本収納領域７０とから等距離の位置に配置されている。つまり、このピン９５は、３本収納領域７１の棒金配列方向の一側（左側）の端部および中央の２カ所の係合部８０と、２本収納領域７２の棒金配列方向の同じ一側（左側）の１カ所の係合部８０とから等距離の位置に配置されている。
【００５２】
３カ所のピン９５は、さらに他の１つが、３本収納領域７１の棒金配列方向の他側（右側）の端部の１本収納領域７０および中央の１本収納領域７０と、２本収納領域７２の同じ他側（右側）の１本収納領域７０とから等距離の位置に配置されている。つまり、このピン９５は、３本収納領域７１の棒金配列方向の他側（右側）の端部および中央の２カ所の係合部８０と、２本収納領域７２の棒金配列方向の同じ他側（右側）の１カ所の係合部８０とから等距離の位置に配置されている。
【００５３】
第１実施形態では、３カ所のピン９５は、上端部の高さ位置を、それぞれが形成される棒金収納凹部６１の開口端部よりも低くしている。これにより、棒金トレイ５０ａの重量増およびコスト増を抑制している。なお、この３カ所のピン９５の上端部の高さ位置を、それぞれが形成される棒金収納凹部６１の開口端部にほぼ合わせても良い。このように構成すれば、棒金収納凹部６１内に収納された、満杯状態にない１本〜４本の棒金Ｂをより安定的に、底部６４に垂直状をなす姿勢に維持することができる。
【００５４】
図３に示すように、支持ベース４０は、各列の最も前側の端数収納用の棒金トレイ５０ａを支持する傾斜支持部１０１が、前後方向から見て水平に対し傾斜しない状態で、後下がりに傾斜しており、この傾斜支持部１０１に棒金トレイ５０ａの基板部６０が固定されている。その際に、棒金収納凹部６１の２本収納領域７２および３本収納領域７１が前後に並ぶ姿勢で、棒金トレイ５０ａが傾斜支持部１０１に取り付けられている。言い換えれば、２本収納領域７２および３本収納領域７１のそれぞれの棒金配列方向を棒金収納庫１２（Ｃ）の引き出しの方向に直交させる姿勢で棒金トレイ５０ａが傾斜支持部１０１に取り付けられている。その結果、棒金トレイ５０ａは、基板部６０と平行な底部６４を、水平に対し、２本収納領域７２および３本収納領域７１の一方である２本収納領域７２が他方である３本収納領域７１に対し低くなるように傾斜させている。言い換えれば、棒金トレイ５０ａは、棒金収納凹部６１の２本収納領域７２および３本収納領域７１のうち、後側つまり棒金収納庫１２（Ｃ）の引き出しの方向の奥側に２本収納領域７２が、手前側に３本収納領域７１が配置される姿勢で傾斜支持部１０１に取り付けられている。
【００５５】
傾斜支持部１０１に取り付けられた状態の端数収納用の棒金トレイ５０ａの棒金収納凹部６１は、その底部６４が、前後方向から見て水平に対し傾斜しない状態で、棒金収納庫１２（Ｃ）の引き出し方向を基準として、後下がりに傾斜しており、その壁部６３が、前後方向から見て鉛直に対し傾斜しない状態で、棒金収納庫１２（Ｃ）の引き出し方向を基準として、後上がりに傾斜している。つまり、端数収納用の棒金トレイ５０ａは、その底部６４が後側（奥側）ほど下側に位置するように傾斜しており、その壁部６３が後側（奥側）ほど上側に位置するように傾斜している。傾斜支持部１０１に支持された棒金トレイ５０は、底部６４が水平に対し４５度より小さい角度（例えば３０度）をなすように傾斜している。傾斜支持部１０１に支持された棒金トレイ５０は、底部６４の最深面７８および係合部８０の上面８１が、前後方向から見て水平に対し傾斜しない状態で後下がりに傾斜しており、その壁部６３の囲壁面６９が、前後方向から見て鉛直に対し傾斜しない状態で後上がりに傾斜している。
【００５６】
支持ベース４０は、各列の前から２番目の端数収納用の棒金トレイ５０ａを支持する傾斜支持部１０２が、前後方向から見て水平に対し傾斜しない状態で、後下がりに傾斜しており、この傾斜支持部１０２に、上記傾斜支持部１０１に取り付けられた最も前側の棒金トレイ５０ａと同様の姿勢で前から２番目の棒金トレイ５０ａが取り付けられている。ここで、支持ベース４０に取り付けられた状態で、最も前側の棒金トレイ５０ａと前から２番目の棒金トレイ５０ａとは、高さ位置を合わせている。言い換えれば、これら２つの棒金トレイ５０ａにおいて、２カ所の棒金収納凹部６１が高さ位置を合わせて棒金収納庫１２（Ｃ）の引き出しの方向の前後に並んで設けられている。
【００５７】
すべての列の最も前側の棒金トレイ５０ａはすべて同様の姿勢で支持ベース４０に取り付けられており、すべての列の前から２番目の棒金トレイ５０ａもすべて同様の姿勢で支持ベース４０に取り付けられている。
【００５８】
棒金収納庫１２（Ｃ）に設けられるすべての端数収納用の棒金トレイ５０ａの棒金収納凹部６１は、引き出しの方向の奥側に２本収納領域７２が、手前側に３本収納領域７１が配置されている。さらに、棒金収納庫１２（Ｃ）に設けられるすべての端数収納用の棒金トレイ５０ａにおいても、３本収納領域７１および２本収納領域７２は、前後方向つまり収納庫１２の引き出し方向に直交する方向に延在している。言い換えれば、棒金収納庫１２（Ｃ）に設けられるすべての端数収納用の棒金トレイ５０ａにおいて、３本収納領域７１および２本収納領域７２は、それぞれの棒金配列方向を、前後方向つまり収納庫１２の引き出し方向に直交させている。
【００５９】
このように支持ベース４０の傾斜支持部１０１に取り付けられた棒金トレイ５０ａおよび傾斜支持部１０２に取り付けられた棒金トレイ５０ａのそれぞれの棒金収納凹部６１に棒金Ｂを収納する場合、棒金Ｂをいずれか任意の１本収納領域７０の係合部８０に、係合部８０を加締部Ｋで覆うようにして載置させる。すると、棒金Ｂは、係合部８０の上面８１に最下の硬貨Ｃを接触させて載置される。いずれの１本収納領域７０に収納しても、棒金Ｂは、囲壁面６９およびいずれかのピン９５で支持されて底部６４に垂直状をなす姿勢に維持される。言い換えれば、端数収納用の棒金トレイ５０ａの棒金収納凹部６１は、その底部６４に対し垂直状をなして立ち上がる姿勢で棒金Ｂを収納することになり、さらに言い換えれば、その壁部６３の底部６４からの延出方向に沿う姿勢で棒金Ｂを収納することになる。端数収納用の棒金トレイ５０ａは、壁部６３が底部６４から後ろ下がりに延出していることから、棒金Ｂを壁部６３およびいずれかのピン９５で支持して後ろ上がりに延出する姿勢で収納させる。
【００６０】
支持ベース４０は、各列の前から３番目以降全部の満杯収納用の棒金トレイ５０ｂを支持する水平支持部１０３が水平に配置されており、この水平支持部１０３に棒金トレイ５０ｂの基板部６０が固定されている。その際に、棒金トレイ５０ｂは、棒金収納凹部６１の２本収納領域７２および３本収納領域７１のうち、後側に２本収納領域７２が前側に３本収納領域７１が配置される姿勢となり、２本収納領域７２および３本収納領域７１のそれぞれの棒金配列方向を棒金収納庫１２（Ｃ）の引き出しの方向に直交させる姿勢となるように水平支持部１０３に取り付けられている。
【００６１】
水平支持部１０３に取り付けられた状態の満杯収納用の棒金トレイ５０ｂの棒金収納凹部６１は、底部６４が水平に配置されており、その壁部６３が鉛直に配置されている。つまり、水平支持部１０３に支持された満杯収納用の棒金トレイ５０ｂの棒金収納凹部６１は、底部６４の最深面７８および係合部８０の上面８１が水平に配置されており、その壁部６３の囲壁面６９が鉛直に配置されている。
【００６２】
水平支持部１０３に取り付けられた状態の１つの棒金トレイ５０ｂに対して、棒金収納凹部６１に満杯に収納された状態の棒金Ｂは、底部６４に対し垂直状をなして立ち上がる姿勢となり、棒金収納凹部６１の壁部６３および他の棒金Ｂで支持されて中心軸線を鉛直配置した鉛直立位状態に維持される。ここで、棒金トレイ５０ａの前側の３本収納領域７１に収納された棒金Ｂの最上端位置と、棒金トレイ５０ｂに収納された棒金Ｂの最上端位置とが、高さ位置を合わせるように、傾斜支持部１０１，１０２および水平支持部１０３の高さおよび形状が設定されている。棒金収納庫１２（Ｃ）に設けられる満杯収納用のすべての棒金トレイ５０ｂは、すべて同様の姿勢で支持ベース４０に取り付けられている。
【００６３】
棒金収納庫１２（Ｃ）に設けられるすべての満杯収納用の棒金トレイ５０ｂの棒金収納凹部６１は、引き出しの方向の奥側に２本収納領域７２が、手前側に３本収納領域７１が配置されている。さらに、棒金収納庫１２（Ｃ）に設けられるすべての満杯収納用の棒金トレイ５０ｂにおいては、３本収納領域７１および２本収納領域７２は、前後方向つまり収納庫１２の引き出し方向に直交する方向に延在している。言い換えれば、棒金収納庫１２（Ｃ）に設けられるすべての満杯収納用の棒金トレイ５０ｂにおいて、３本収納領域７１および２本収納領域７２は、それぞれの棒金配列方向を、前後方向つまり収納庫１２の引き出し方向に直交させている。
【００６４】
このように支持ベース４０の水平支持部１０３に取り付けられた棒金トレイ５０ｂの棒金収納凹部６１に棒金Ｂを収納する場合、５本の棒金Ｂを例えばそれぞれ一本ずつ各係合部８０に、係合部８０を加締部Ｋで覆うようにして載置させる。棒金収納凹部６１に５本の棒金Ｂが各係合部８０に載置されると、各棒金Ｂはその周囲にある壁部６３の湾曲壁面６６、平坦壁面６７，６８および他の棒金Ｂの外周面のうちのいずれかに接触して倒れが規制された状態で、対応する係合部８０に、その上面８１に最下の硬貨Ｃを接触させて載置される。
【００６５】
以上により、満杯収納用の棒金トレイ５０ｂの棒金収納凹部６１も、その底部６４に対し垂直状をなして立ち上がる姿勢で棒金Ｂを収納することになり、言い換えれば、その壁部６３の底部６４からの延出方向に沿う姿勢で棒金Ｂを収納することになる。満杯収納用の棒金トレイ５０は、壁部６３が底部６４から鉛直上方に延出していることから、棒金Ｂを壁部６３および他の棒金Ｂのいずれかで支持して鉛直に沿う姿勢、つまり中心軸線を上下方向に沿わせた鉛直状の立位姿勢で収納させる。
【００６６】
各棒金トレイ５０に収納すべき設定金種を示す収納金種データは、予め設定されて記憶部２６に記憶されている。
【００６７】
装置本体１１には、収納庫１２が装置本体１１に最も押し込まれた後端位置である全閉位置にあることを検出する図２に示す全閉検出センサ９０が収納庫１２のそれぞれに対して設けられている。装置本体１１には、収納庫１２が装置本体１１から引き出された開状態にあることを検出する開検出センサ９１が収納庫１２のそれぞれに対して設けられている。
【００６８】
加えて、装置本体１１には、収納庫１２を個別に全閉位置でロックするロック機構２２が設けられている。ロック機構２２は、制御部２５から出力される開指令信号で開状態となる。制御部２５は、開状態とした収納庫１２が装置本体１１から引き出されたことが開検出センサ９１で検出されると、開指令信号を停止させることになり、この状態でロック機構２２は、収納庫１２が全閉位置に戻されると、収納庫１２を引き出し不可に自動的かつ機械的にロックする。制御部２５は、一の収納庫１２が装置本体１１から引き出されたことが開検出センサ９１で検出された後、この一の収納庫１２が全閉位置に戻されたことが全閉検出センサ９０で検出されると、この一の収納庫１２に収納された棒金Ｂの金種別の数を全ての棒金検出センサ８２の検出結果から把握する。
【００６９】
制御部２５は、棒金検出センサ８２が検出したデータが、記憶部２６に記憶された１円硬貨の棒金Ｂの判定範囲内にあれば、この棒金検出センサ８２が設けられた係合部８０に１円硬貨の棒金Ｂが載置されていると判定する。同様にして、制御部２５は、各係合部８０への１円硬貨の棒金Ｂ、５円硬貨の棒金Ｂ、１０円硬貨の棒金Ｂ、５０円硬貨の棒金Ｂ、１００円硬貨の棒金Ｂ、５００円硬貨の棒金Ｂの載置を判定する。他方、制御部２５は、棒金検出センサ８２が検出したデータが、いずれの金種の棒金Ｂの判定範囲内にもなければ、係合部８０に棒金Ｂが載置されていないと判定する。
【００７０】
また、制御部２５は、各棒金トレイ５０に収納すべき設定金種以外の棒金Ｂが収納されている誤収納を検出する。つまり、すべての棒金検出センサ８２について検出されるべき棒金の金種データ、つまり棒金検出センサ８２が設けられた係合部８０の載置対象棒金の金種データが、予め記憶部２６に記憶されており、制御部２５は、このデータと各棒金トレイ５０の各棒金検出センサ８２の検出結果とを比較する。そして、制御部２５は、棒金検出センサ８２で検出されるべき金種の棒金Ｂが棒金検出センサ８２で検出されれば、収納が適正であると判定し、棒金検出センサ８２で検出されるべき金種の棒金Ｂとは異なる金種の棒金Ｂが棒金検出センサ８２で検出されれば、収納が適正でない誤収納であると判定する。例えば、検出されるべき棒金Ｂの金種が１００円硬貨であると記憶部２６の記憶内容から把握した係合部８０に、棒金検出センサ８２の検出結果から１０円硬貨の棒金Ｂが載置されていることを検出すると、誤収納とする。この場合、制御部２５は、誤収納の内容（棒金Ｂが誤収納されている係合部８０の位置情報と、誤収納の金種と、適正な金種とを含む内容）を表示部１７に表示させる等して操作者に報知する。
【００７１】
以上に述べた第１実施形態に係る現金管理装置１０によれば、棒金トレイ５０ａ，５０ｂは、底部６４と壁部６３とを有し棒金Ｂを底部６４に垂直状をなす姿勢で１カ所に５本収納可能な棒金収納凹部６１を備えており、この棒金収納凹部６１が、棒金Ｂを２本並べて収納する２本収納領域７２と、２本収納領域７２と平行であって棒金Ｂを１列に並べて３本収納する３本収納領域７１と、を有するとともに、これら２本収納領域７２および３本収納領域７１が棒金配列方向の中央位置を合わせている。このため、両手で５本の棒金Ｂを纏めて掴んで出し入れする際に掴み易く出し入れし易い。したがって、棒金Ｂの出し入れ作業を容易化可能となる。
【００７２】
しかも、棒金トレイ５０ａの棒金収納凹部６１は、２本収納領域７２および３本収納領域７１の一方が他方に対し低くなるように底部６４を水平に対し傾斜させていることから、両手で５本の棒金を纏めて掴んで出し入れする際に一層掴み易く出し入れし易い。
【００７３】
また、棒金トレイ５０ａ，５０ｂの棒金収納凹部６１は、３本収納領域７１および２本収納領域７２の棒金配列方向を、棒金収納庫１２（Ｃ）の引き出しの方向に対し直交させている。このため、両手で５本の棒金Ｂを纏めて掴んで出し入れする際に一層掴み易く出し入れし易い。
【００７４】
また、棒金トレイ５０ａ，５０ｂの棒金収納凹部６１は、棒金収納庫１２（Ｃ）の引き出しの方向の奥側に２本収納領域７２が、手前側に３本収納領域７１が配置されているため、５本の棒金Ｂからなる棒金群を、両手で棒金収納凹部６１に合わせた形状にしつつ掴む際に掴み易く、よって、５本の棒金Ｂを両手で掴んで棒金収納凹部に対し出し入れする作業がさらに容易化可能となる。
【００７５】
また、棒金トレイ５０ａ，５０ｂの棒金収納凹部６１の底部６４には、棒金Ｂの下端部の加締部Ｋに係合する係合部８０が、３本収納領域７１に３カ所、２本収納領域７２に２カ所、それぞれ設けられているため、棒金Ｂの下端の加締部Ｋを係合部８０に係合させることで、収納庫１２の引き出し時および押し込み時に、収納状態にある棒金Ｂのガタツキを抑制することができる。
【００７６】
また、各係合部８０に係合された棒金Ｂの有無および金種を各係合部８０に埋設された棒金検出センサ８２で個別に検出することができる。よって、現金管理装置１０内に収納された棒金Ｂの金種別の収納数を計数して管理することができる。
【００７７】
また、棒金トレイ５０ａ，５０ｂの棒金収納凹部６１が、３本収納領域７１および２本収納領域７２のそれぞれの棒金配列方向の両外側に湾曲壁面６６を有する形状をなしているため、これら湾曲壁面６６で四隅の棒金Ｂを案内することができる。よって、５本の棒金Ｂを纏めて正確に棒金収納凹部６１に挿入することが可能となる。
【００７８】
また、端数収納用の棒金トレイ５０ａは、３本収納領域７１の棒金配列方向の中央の１本収納領域７０と２本収納領域７２の両１本収納領域７０とから等距離の位置と、３本収納領域７１の棒金配列方向の一側の端部の１本収納領域７０および中央の１本収納領域７０と２本収納領域７２の前記一側の１本収納領域７０とから等距離の位置と、３本収納領域７１の棒金配列方向の他側の端部の１本収納領域７０および中央の１本収納領域７０と２本収納領域７２の前記他側の１本収納領域７０とから等距離の位置とに、それぞれ棒金Ｂを立位状態に維持しうるピン９５が立設されている。このため、棒金収納凹部６１内に収納された、満杯状態にない１本〜４本の棒金Ｂを少ない数のピン９５で立位状態に維持することができる。
【００７９】
また、棒金トレイ５０ａ，５０ｂが棒金の最上端の高さ位置を合わせているため、棒金Ｂを棒金収納凹部に対し出し入れする作業の作業性が向上する。
【００８０】
次に、本発明の第２実施形態に係る現金管理装置を主に図８を参照して第１実施形態との相違部分を中心に以下に説明する。
【００８１】
第２実施形態において、前端および前から２番目の端数収納用の棒金トレイ５０ａは、その底部６４を水平に対して第１実施形態とは相違する方向に傾斜させて支持ベース４０ａに取り付けられている。前から３番目以降全部の満杯収納用の棒金トレイ５０ｂは、第１実施形態と同様、その底部６４を水平に配置して支持ベース４０ａの第１実施形態と同様の水平支持部１０３に取り付けられている。
【００８２】
支持ベース４０ａは、各列の最も前側および前から２番目の端数収納用の棒金トレイ５０ａを支持する傾斜支持部１０１ａ，１０２ａが、前後方向から見て水平に対し傾斜しない状態で、前下がりに傾斜しており、これら傾斜支持部１０１ａ，１０２ａに棒金トレイ５０ａの基板部６０が固定されている。棒金トレイ５０ａは、第１実施形態と同様に、棒金収納凹部６１の２本収納領域７２および３本収納領域７１のうち、後側に２本収納領域７２が前側に３本収納領域７１が配置される姿勢となり、２本収納領域７２および３本収納領域７１のそれぞれの棒金配列方向を棒金収納庫１２（Ｃ）の引き出しの方向に直交させる姿勢となるように傾斜支持部１０１ａ，１０２ａに取り付けられている。その結果、最も前側および前から２番目の棒金トレイ５０ａのそれぞれの棒金収納凹部６１は、２本収納領域７２および３本収納領域７１の一方が他方に対し低くなるように底部６４を水平に対し傾斜させており、詳しくは、前側の３本収納領域７１が後側の２本収納領域７２より低くなるように底部６４を水平に対し傾斜させている。
【００８３】
傾斜支持部１０１ａ，１０２ａに取り付けられた状態の端数収納用の棒金トレイ５０ａの棒金収納凹部６１は、その底部６４が、前後方向から見て水平に対し傾斜しない状態で、棒金収納庫１２（Ｃ）の引き出し方向を基準として前下がりに傾斜しており、その壁部６３が、前後方向から見て鉛直に対し傾斜しない状態で、棒金収納庫１２（Ｃ）の引き出し方向を基準として前上がりに傾斜している。つまり、端数収納用の棒金トレイ５０ａは、その底部６４が前側ほど下側に位置するように傾斜しており、その壁部６３が前側ほど上側に位置するように傾斜している。傾斜支持部１０１，１０２に支持された棒金トレイ５０は、底部６４が水平に対し４５度より小さい角度（例えば３０度）をなすように傾斜している。傾斜支持部１０１，１０２に支持された端数収納用の棒金トレイ５０ａは、底部６４の最深面７８および係合部８０の上面８１が、前後方向から見て水平に対し傾斜しない状態で前下がりに傾斜しており、その壁部６３の囲壁面６９が、前後方向から見て鉛直に対し傾斜しない状態で前上がりに傾斜している。
【００８４】
このように傾斜支持部１０１ａ，１０２ａに取り付けられた棒金トレイ５０ａの棒金収納凹部６１に棒金Ｂを収納すると、底部６４が前下がりに傾斜していることから、棒金Ｂは底部６４から垂直状をなして前上がりに延出する姿勢で収納される。
【００８５】
以上に述べた第２実施形態によれば、端数収納用の棒金トレイ５０ａの棒金収納凹部６１は、底部６４を前下がりに傾斜させているため、すべての棒金Ｂの上面が前方から目視可能となる。よって、棒金Ｂの収納数の前方からの目視確認が容易となる。また、棒金トレイ５０ａは前方からの棒金Ｂの出し入れが容易となる。したがって、使い勝手性が向上する。
【００８６】
なお、第１，第２実施形態のそれぞれにおいて、前端に端数収納用の棒金トレイ５０ａをその底部６４を水平に対し傾斜させて設け、前から２番目に満杯収納用の棒金トレイ５０ｂをその底部６４を水平に対し棒金トレイ５０ａと同様に傾斜させて設け、前から３番目以降全部に満杯収納用の棒金トレイ５０ｂをその底部６４を水平に配置して設けても良い。また、第１，第２実施形態のそれぞれにおいて、前端に端数収納用の棒金トレイ５０ａをその底部６４を水平に対し傾斜させて設け、前から２番目以降全部に満杯収納用の棒金トレイ５０ｂをその底部６４を水平に配置して設けても良い。また、第１，第２実施形態のそれぞれにおいて、前端に端数収納用の棒金トレイ５０ａをその底部６４を水平に対し傾斜させて設け、前から２番目以降全部に満杯収納用の棒金トレイ５０ｂをその底部６４を水平に対し棒金トレイ５０ａと同様に傾斜させて設けても良い。
【００８７】
次に、本発明の第３実施形態に係る現金管理装置を主に図９〜図１３を参照して第１実施形態との相違部分を中心に以下に説明する。
【００８８】
第３実施形態において、図９に示す端数収納用の棒金トレイ５０ｃおよび満杯収納用の棒金トレイ５０ｄには、それぞれ第１実施形態と同様の棒金収納凹部６１が２カ所ずつ設けられている。端数収納用の棒金トレイ５０ｃに設けられた２カ所の棒金収納凹部６１は、互いの底部６４を同一平面上に配置して基板部６０の中間部に前後に隣接して形成されており、左右方向の位置を合わせて平行に配置されている。棒金トレイ５０ｄに設けられた２カ所の棒金収納凹部６１は、互いの底部６４を同一平面上に配置して基板部６０の中間部に前後に隣接して形成されており、左右方向の位置を合わせて平行に配置されている。
【００８９】
図１０，図１１に示す満杯収納用の棒金トレイ５０ｄの２カ所の棒金収納凹部６１は、３本収納領域７１と２本収納領域７２との並び順を互いに合わせて並列に配列されている。２カ所の棒金収納凹部６１のそれぞれにおいて、３本収納領域７１と２本収納領域７２とは互いに平行をなして隣接しており、それぞれの棒金配列方向の中央位置を合わせている。その結果、２カ所の棒金収納凹部６１のそれぞれにおいて、３本収納領域７１と２本収納領域７２とは、両方の中央位置を通り基板部６０に直交する面を基準に鏡面対称の形状をなしている。３本収納領域７１と２本収納領域７２とを有する２カ所の棒金収納凹部６１は、それぞれ棒金ＢをＭ字状に収納する。２カ所の棒金収納凹部６１の２カ所の３本収納領域７１の棒金配列方向の中央位置および２カ所の２本収納領域７２の棒金配列方向の中央位置が同一直線上に配置されている。
【００９０】
第３実施形態において、図１２，図１３に示す端数収納用の棒金トレイ５０ｃは、満杯収納用の棒金トレイ５０ｃの２カ所の棒金収納凹部６１のそれぞれに、満杯状態にない１本〜４本の棒金Ｂを底部６４に垂直状をなす姿勢にそれぞれ維持しうる複数、具体的には３カ所のピン９５が底部６４に立設されている。
【００９１】
第３実施形態において、図９に示す支持ベース４０ｃは、各列の最も前側の端数収納用の棒金トレイ５０ｃを支持する傾斜支持部１０１ｃが、前後方向から見て水平に対し傾斜しない状態で、後ろ下がりに傾斜しており、この傾斜支持部１０１ｃに棒金トレイ５０ｃの基板部６０が固定されている。棒金トレイ５０ｃは、各棒金収納凹部６１が、第１実施形態と同様に、２本収納領域７２および３本収納領域７１のうち、後側に２本収納領域７２が前側に３本収納領域７１が配置される姿勢となり、２本収納領域７２および３本収納領域７１のそれぞれの棒金配列方向を棒金収納庫１２（Ｃ）の引き出しの方向に直交させる姿勢となるように傾斜支持部１０１ｃに取り付けられている。その結果、最も前側の棒金トレイ５０ｃの２カ所の棒金収納凹部６１は、それぞれが２本収納領域７２および３本収納領域７１の一方が他方に対し低くなるように底部６４を水平に対し傾斜させており、詳しくは、前側の３本収納領域７１より後側の２本収納領域７２より低くなるように底部６４を水平に対し傾斜させている。
【００９２】
傾斜支持部１０１ｃに取り付けられた状態の端数収納用の棒金トレイ５０ｃの２カ所の棒金収納凹部６１は、それぞれの底部６４が、前後方向から見て水平に対し傾斜しない状態で、棒金収納庫１２（Ｃ）の引き出し方向を基準として後ろ下がりに傾斜しており、その壁部６３が、前後方向から見て鉛直に対し傾斜しない状態で、棒金収納庫１２（Ｃ）の引き出し方向を基準として後ろ上がりに傾斜している。つまり、端数収納用の棒金トレイ５０ｃは、２カ所の棒金収納凹部６１のそれぞれの底部６４が前側ほど上側に位置するように傾斜しており、それぞれの壁部６３が後側ほど上側に位置するように傾斜している。傾斜支持部１０１ｃに支持された棒金トレイ５０ｃは、２カ所の棒金収納凹部６１のそれぞれの底部６４が水平に対し４５度より小さい角度（例えば３０度）をなすように傾斜している。傾斜支持部１０１ｃに支持された端数収納用の棒金トレイ５０ｃは、２カ所の棒金収納凹部６１のそれぞれの底部６４の最深面７８および係合部８０の上面８１が、前後方向から見て水平に対し傾斜しない状態で後ろ下がりに傾斜しており、それぞれの壁部６３の囲壁面６９が、前後方向から見て鉛直に対し傾斜しない状態で後ろ上がりに傾斜している。
【００９３】
このように傾斜支持部１０１ｃに取り付けられた棒金トレイ５０ｃの２カ所の棒金収納凹部６１に棒金Ｂを収納すると、底部６４が後ろ下がりに傾斜していることから、棒金Ｂは底部６４から垂直状をなして後ろ上がりに延出する姿勢で収納される。
【００９４】
支持ベース４０ｃは、前から２番目以降全部の満杯収納用の棒金トレイ５０ｄを支持する水平支持部１０３ｃが水平に配置されており、この水平支持部１０３ｃに棒金トレイ５０ｄの基板部６０が固定されている。その際に、棒金トレイ５０ｄは、２カ所の棒金収納凹部６１のそれぞれについて、２本収納領域７２および３本収納領域７１のうち、後側つまり引き出しの方向の奥側に２本収納領域７２が、前側つまり引き出しの方向の手前側に３本収納領域７１が配置される姿勢となり、２本収納領域７２および３本収納領域７１のそれぞれの棒金配列方向を棒金収納庫１２（Ｃ）の引き出しの方向に直交させる姿勢となるように水平支持部１０３ｃに取り付けられている。
【００９５】
水平支持部１０３ｃに取り付けられた状態の満杯収納用の棒金トレイ５０ｄの２カ所の棒金収納凹部６１は、それぞれの底部６４が水平に配置されており、それぞれの壁部６３が鉛直に配置されている。水平支持部１０３ｃに支持された棒金トレイ５０ｄの２カ所の棒金収納凹部６１は、それぞれの底部６４の最深面７８および係合部８０の上面８１が水平に配置されており、それぞれの壁部６３の囲壁面６９が鉛直に配置されている。
【００９６】
以上に述べた第３実施形態によれば、棒金トレイ５０ｃ，５０ｄのそれぞれについて、２カ所の棒金収納凹部６１が底部６４を同一平面状に配置して引き出しの方向の前後に並んで設けられているため、これらの棒金収納凹部６１を１つの棒金トレイ５０ｃあるいは１つの棒金トレイ５０ｄに形成することが容易となる。したがって、コストを低減することができる。
【００９７】
次に、本発明の第４実施形態に係る現金管理装置を主に図１４を参照して第３実施形態との相違部分を中心に以下に説明する。
【００９８】
第４実施形態において、第３実施形態と同様の前端の端数収納用の棒金トレイ５０ｃが、その底部６４を水平に対して第３実施形態とは相違する方向に傾斜させて支持ベース４０ｅに取り付けられている。また、前から２番目以降全部の満杯収納用の棒金トレイ５０ｄは、第３実施形態と同様、その底部６４を水平に配置して支持ベース４０ｅの第３実施形態と同様の水平支持部１０３ｃに取り付けられている。
【００９９】
支持ベース４０ｅは、最も前側の端数収納用の棒金トレイ５０ｃを支持する傾斜支持部１０１ｅが、前後方向から見て水平に対し傾斜しない状態で、前下がりに傾斜しており、この傾斜支持部１０１ｅに棒金トレイ５０ｃの基板部６０が固定されている。棒金トレイ５０ｃは、第３実施形態と同様に、２カ所の棒金収納凹部６１のそれぞれについて、２本収納領域７２および３本収納領域７１のうち、後側に２本収納領域７２が前側に３本収納領域７１が配置される姿勢となり、２本収納領域７２および３本収納領域７１のそれぞれの棒金配列方向を棒金収納庫１２（Ｃ）の引き出しの方向に直交させる姿勢となるように傾斜支持部１０１ｅに取り付けられている。その結果、最も前側の棒金トレイ５０ｃの２カ所の棒金収納凹部６１は、それぞれ、２本収納領域７２および３本収納領域７１の一方が他方に対し低くなるように底部６４を水平に対し傾斜させており、詳しくは、前側の３本収納領域７１が後側の２本収納領域７２より低くなるように底部６４を水平に対し傾斜させている。
【０１００】
傾斜支持部１０１ｅに取り付けられた状態の端数収納用の棒金トレイ５０ｃの２カ所の棒金収納凹部６１は、それぞれの底部６４が、前後方向から見て水平に対し傾斜しない状態で、棒金収納庫１２（Ｃ）の引き出し方向を基準として前下がりに傾斜しており、それぞれの壁部６３が、前後方向から見て鉛直に対し傾斜しない状態で、棒金収納庫１２（Ｃ）の引き出し方向を基準として前上がりに傾斜している。つまり、端数収納用の棒金トレイ５０ｃは、２カ所の棒金収納凹部６１のそれぞれの底部６４が前側ほど下側に位置するように傾斜しており、それぞれの壁部６３が前側ほど上側に位置するように傾斜している。傾斜支持部１０１ｅに支持された棒金トレイ５０ｃは、２カ所の棒金収納凹部６１のそれぞれの底部６４が水平に対し４５度より小さい角度（例えば３０度）をなすように傾斜している。傾斜支持部１０１ｅに支持された端数収納用の棒金トレイ５０ｃは、２カ所の棒金収納凹部６１のそれぞれの底部６４の最深面７８および係合部８０の上面８１が、前後方向から見て水平に対し傾斜しない状態で前下がりに傾斜しており、それそれの壁部６３の囲壁面６９が、前後方向から見て鉛直に対し傾斜しない状態で前上がりに傾斜している。
【０１０１】
このように傾斜支持部１０１ｅに取り付けられた棒金トレイ５０ｃの棒金収納凹部６１に棒金Ｂを収納すると、底部６４が前下がりに傾斜していることから、棒金Ｂは底部６４から垂直状をなして前上がりに延出する姿勢で収納される。
【０１０２】
以上に述べた第４実施形態によれば、端数収納用の棒金トレイ５０ｃの２カ所の棒金収納凹部６１は、それぞれの底部６４を前下がりに傾斜させているため、すべての棒金Ｂの上面が前方から目視可能となる。よって、棒金Ｂの収納数の前方からの目視確認が容易となる。また、棒金トレイ５０ｃは前方からの棒金Ｂの出し入れが容易となる。したがって、使い勝手性が向上する。
【０１０３】
第１〜第４実施形態においては、水平に対し傾斜する底部６４の角度は、上記に限らず、任意に設定することができる。また、第１〜第４実施形態を適宜組み合わせても良い。
【符号の説明】
【０１０４】
１０  現金管理装置
１１  装置本体
１２（Ｃ）  棒金収納庫（収納庫）
５０ａ〜５０ｄ  棒金トレイ
６１  棒金収納凹部
６６  湾曲壁面
６７  平坦壁面
６８  平坦壁面
６３  壁部
６４  底部
７１  ３本収納領域
７２  ２本収納領域
８０  係合部
８２  棒金検出センサ
９５  ピン
Ｂ  棒金
【図１】
2017033367.tif 000003
【図２】
2017033367.tif 000004
【図３】
2017033367.tif 000005
【図４】
2017033367.tif 000006
【図５】
2017033367.tif 000007
【図６】
2017033367.tif 000008
【図７】
2017033367.tif 000009
【図８】
2017033367.tif 000010
【図９】
2017033367.tif 000011
【図１０】
2017033367.tif 000012
【図１１】
2017033367.tif 000013
【図１２】
2017033367.tif 000014
【図１３】
2017033367.tif 000015
【図１４】
2017033367.tif 000016